(57)【要約】【課題】足場構築体に装着することにより使用する安全手摺に関して、格納姿勢とした斜材を水平材に好適に保持できるようにした安全手摺を提供する。【解決手段】水平材(5)と一対の斜材(6,6)を備え、前記水平材(5)の両端部と斜材(6)の基端部(6a)を枢結手段(8)により回動自在に枢結し、前記斜材を回動することにより、一対の斜材(6,6)の先端部(6b,6b)を前記水平材(5)の両端部に沿わせた格納姿勢(P2)と、該斜材(6,6)を前記水平材(5)の下方で相互に交差させた展開姿勢(P1)を可能とするように構成した足場構築体の安全手摺において、前記水平材(5)の両端部に、前記格納姿勢(P2)とされた斜材(6,6)の先端部(6b,6b)を着脱自在に係止保持する保持手段(15,15)を設けている。【選択図】図５
2015187358.tif 000002
【特許請求の範囲】
【請求項１】
水平材(5)と一対の斜材(6,6)を備え、前記水平材(5)の両端部と斜材(6)の基端部(6a)を枢結手段(8)により回動自在に枢結し、前記斜材を回動することにより、一対の斜材(6,6)の先端部(6b,6b)を前記水平材(5)の両端部に沿わせた格納姿勢(P2)と、該斜材(6,6)を前記水平材(5)の下方で相互に交差させた展開姿勢(P1)を可能とするように構成した足場構築体の安全手摺において、
前記水平材(5)の両端部に、前記格納姿勢(P2)とされた斜材(6,6)の先端部(6b,6b)を着脱自在に係止保持する保持手段(15,15)を設けて成ることを特徴とする足場構築体の安全手摺。
【請求項２】
前記水平材(5)を足場構築体の隣り合う一対の支柱(2,2)の間に配置すると共に、斜材を展開姿勢(P1)とした状態で、該斜材(6)の基端部(6a)に設けた係止機構(9)を一方の支柱に係止し、該斜材(6)の先端部(6b)に設けた固着機構(10)を他方の支柱に固着するように構成され、
前記水平材(5)の両端部にブラケット(16)を固設し、該ブラケット(16)により、前記斜材の基端部を枢結する枢結手段(8)と、前記斜材の先端部を係止保持する保持手段(15)を構成して成ることを特徴とする請求項１に記載の足場構築体の安全手摺。
【請求項３】
前記ブラケット(16)は、前記斜材の先端部(6b)を受入れ保持するように下向きに開口された保持溝(22)を形成すると共に、前記保持溝の内部に向けて突出するバネ手段(23)を設けており、
前記斜材を格納姿勢(P2)としたとき、前記バネ手段(23)が変形することにより該斜材を保持溝(22)に進入させ、該斜材が保持溝に進入したとき前記バネ手段(23)が復元することにより該斜材を保持するように構成して成ることを特徴とする請求項２に記載の足場構築体の安全手摺。
【請求項４】
前記ブラケット(16)は、金属板を折曲することにより、水平材(5)の端部に取付けられる取付手段と、前記斜材の基端部(6a)を枢結する枢結片(18)と、前記保持溝(22)の両側溝壁のうち一方の溝壁を形成する保持片(19)を備えると共に、該保持片(19)に窓孔(24)を開設しており、
前記保持片(19)の外側面に板バネ(23a)を固着する共に、該板バネの折曲部(25)を前記窓孔(24)から前記保持溝(22)の内部に突出させることにより前記バネ手段(23)を構成して成ることを特徴とする請求項３に記載の足場構築体の安全手摺。
【請求項５】
前記保持片(19)を外側から貫通するボルト(27a)を備えた固定手段(27)により前記板バネ(23a)を前記保持片(19)に固定し、前記固定手段(27)の構成要素を前記保持片(19)の内側に位置させることにより、前記保持溝(22)に受入れられた斜材を受止めるストッパー(29)を構成し、
前記保持溝(22)の内部で前記ストッパー(29)と前記板バネ(23a)の折曲部(25)により前記斜材を保持するように構成して成ることを特徴とする請求項４に記載の足場構築体の安全手摺。
【発明の詳細な説明】
【技術分野】
【０００１】
本発明は、建設現場等に仮設足場を構築する際に、作業者の安全に資するための安全手摺に関する。
【背景技術】
【０００２】
従来、建設現場等における仮設足場の構築に関して、作業者の安全のため、手摺先行工法が推奨されている。楔緊結式の仮設足場の場合、支柱は、楔孔を有するフランジを上下に配置しており、先行手摺は、水平材と一対の斜材を備え、前記水平材の両端部と斜材の基端部を枢結手段により回動自在に枢結し、前記斜材を回動することにより、一対の斜材の先端部を前記水平材の両端部に沿わせた格納姿勢と、該斜材を前記水平材の下方で相互に交差させた展開姿勢を可能とするように構成されている。
【０００３】
そこで、先行手摺を足場構築体に装着する際は、前記水平材を足場構築体の隣り合う一対の支柱の間に配置すると共に、前記斜材を前記展開姿勢とした状態で、該斜材の基端部に設けた係止機構を一方の支柱に係止し、該斜材の先端部に設けた固着機構を他方の支柱に固着することにより使用される。
【０００４】
その一方において、先行手摺の不使用時には、前記斜材を前記格納姿勢とした状態で、嵩張らずコンパクトな保管・運搬を可能にしている。
【０００５】
しかしながら、前記斜材は、格納姿勢とした状態で、前記枢結手段を支点として水平材の両端部に対して回動自在とされ、固定保持されていないため、運搬や保管に際し取り扱いが容易でない。即ち、格納姿勢とした先行手摺を運搬する際、作業者は、手指等により、相互に重ねられた水平材と斜材を束ねた状態で保持する必要があり、手指等が放れると、斜材が回動しつつ垂れ下がるという問題がある。
【０００６】
このため、本出願人は、格納姿勢とした斜材を水平材に固定保持するための固定具を特許文献１により提案した。しかしながら、特許文献１の固定具は、水平材の中央部に予め固定具を取付けておき、格納姿勢とした斜材を該固定具の両側に設けた断面Ｃ字形の固定部に嵌入させる構成であるため、改善すべき種々の問題を含んでいる。
【先行技術文献】
【特許文献】
【０００７】
【特許文献１】特許第４１３４１２１号公報
【特許文献２】特開２０１２−２１５０３３号公報
【発明の概要】
【発明が解決しようとする課題】
【０００８】
特許文献１に関して前述した固定具は、先行手摺を足場構築体に装着した使用状態においても、水平材の中央部に固定されており、手摺として使用される水平材の中央部の表面に突起物を構成するので、好ましくない。
【０００９】
また、前記固定具の固定部は、斜材を側方から受入れる断面Ｃ字形の横向き溝により構成されているので、運搬や保管に際し、作業者は、斜材を展開姿勢から格納姿勢とした後、斜材を横方向に偏位させることにより前記横向き溝の開口部に対向させ、その後、溝内に向けて横方向から押し込む必要があり、必ずしも、作業を迅速かつ容易に行うことができない。
【００１０】
しかも、前記固定具は、水平材の中央部に位置して斜材の中央部を保持する構成とされ、斜材の先端部（枢結された基端部と反対側の自由端部）から遠く離れているので、運搬時等に該斜材の先端部が異物に衝突する等、外力を受けたとき、該斜材が固定具から容易に脱落するおそれがある。
【００１１】
更に、前記固定具は、斜材を保持するための専用部材であり、多機能を具備していないので、コスト負担に関しても改善すべき問題がある。
【課題を解決するための手段】
【００１２】
本発明は、上記課題を解決した足場構築体の安全手摺を提供するものであり、その手段として構成したところは、水平材と一対の斜材を備え、前記水平材の両端部と斜材の基端部を枢結手段により回動自在に枢結し、前記斜材を回動することにより、一対の斜材の先端部を前記水平材の両端部に沿わせた格納姿勢と、該斜材を前記水平材の下方で相互に交差させた展開姿勢を可能とするように構成した足場構築体の安全手摺において、前記水平材の両端部に、前記格納姿勢とされた斜材の先端部を着脱自在に係止保持する保持手段を設けて成る点にある。
【００１３】
本発明の好ましい実施形態は、前記水平材を足場構築体の隣り合う一対の支柱の間に配置すると共に、斜材を展開姿勢とした状態で、該斜材の基端部に設けた係止機構を一方の支柱に係止し、該斜材の先端部に設けた固着機構を他方の支柱に固着するように構成され、前記水平材の両端部にブラケットを固設し、該ブラケットにより、前記斜材の基端部を枢結する枢結手段と、前記斜材の先端部を係止保持する保持手段を構成している。
【００１４】
この際、前記ブラケットは、前記斜材の先端部を受入れ保持するように下向きに開口された保持溝を形成すると共に、前記保持溝の内部に向けて突出するバネ手段を設けており、前記斜材を格納姿勢としたとき、前記バネ手段が変形することにより該斜材を保持溝に進入させ、該斜材が保持溝に進入したとき前記バネ手段が復元することにより該斜材を保持するように構成することが好ましい。
【００１５】
また、前記ブラケットは、金属板を折曲することにより、水平材の端部に取付けられる取付手段と、前記斜材の基端部を枢結する枢結片と、前記保持溝の両側溝壁のうち一方の溝壁を形成する保持片を備えると共に、該保持片に窓孔を開設しており、前記保持片の外側面に板バネを固着する共に、該板バネの折曲部を前記窓孔から前記保持溝の内部に突出させることにより前記バネ手段を構成することが好ましい。
【００１６】
更に、前記保持片を外側から貫通するボルトを備えた固定手段により前記板バネを前記保持片に固定し、前記固定手段の構成要素を前記保持片の内側に位置させることにより、前記保持溝に受入れられた斜材を受止めるストッパーを構成し、前記保持溝の内部で前記ストッパーと板バネの折曲部により前記斜材を保持するように構成することが好ましい。
【発明の効果】
【００１７】
請求項１に記載の本発明によれば、不使用時に安全手摺４を運搬・保管等する場合は、枢結手段８を介して斜材６、６を回動させ、水平材５の両側に重なるように沿わせ、格納姿勢Ｐ２とすれば良い。即ち、安全手摺４は、斜材６、６を格納姿勢Ｐ２とした状態で保持手段１５、１５に係止保持され、該斜材６、６が垂れ下がることはないので、運搬・保管等の取り扱いが容易となる。この際、斜材６、６を係止保持させる作業は、該斜材６、６を格納姿勢Ｐ２に向けて回動させるワンタッチの動作で行われるので、迅速容易に行うことができる。
【００１８】
そして、格納姿勢Ｐ２とされた斜材６、６は、該斜材６、６の先端部６ｂ、６ｂを水平材５の両端部に設けた保持手段１５、１５により保持されるので、運搬時等に該先端部６ｂが異物に衝突する等、外力を受けたときでも、保持手段１５から脱落する可能性が低いという利点がある。
【００１９】
請求項２に記載の本発明によれば、水平材５の両端部にブラケット１６を固設し、該ブラケット１６により斜材６の基端部６ａを枢結する枢結手段８（１８）と、前記保持手段１５を構成しているので、１個のブラケット１６により２つの手段８、１５を同時に形成することができる利点があり、しかも、水平材５の端部と斜材６の基端部６ａの間の枢結構造が堅牢なものとなる。
【００２０】
請求項３に記載の本発明によれば、保持手段１５は、ブラケット１６により形成した保持溝２２と、該保持溝２２の内部に向けて突出するバネ手段２３により構成しているので、簡単な構造で上述のようなワンタッチによる係止保持が可能となり、しかも、バネ手段２３に抗して斜材６の被保持部６ｃを保持溝２２から引き抜き、そのまま引き抜き方向に斜材６、６を回動させるだけで、簡単容易に展開姿勢Ｐ１とすることができる。
【００２１】
請求項４に記載の本発明によれば、ブラケット１６は、保持溝２２の一方の溝壁を形成する保持片１９に窓孔２４を開設し、該保持片１９の外側面に固着した板バネ２３ａの折曲部２５を前記窓孔２４から保持溝２２の内部に突出させることにより前記バネ手段２３を構成しているので、保持溝２２とバネ手段２３のアセンブリーが容易であり、しかも、適度な弾性変形による適度な保持力を有するバネ手段２３を構成することが容易となる。
【００２２】
請求項５に記載の本発明によれば、保持溝２２の内部にストッパー２９を設けているので、斜材６の被保持部６ｃは、該ストッパー２９とバネ手段２３により挟持され、ガタツキなく保持される。この際、ストッパー２９は、バネ手段２３をブラケット１６に固定するための固定手段２７の構成要素により形成されているので、部品点数が増加することもなく、構造が簡単となる。
【図面の簡単な説明】
【００２３】
【図１】本発明の１実施形態に係る安全手摺を足場構築体に装着した状態を示す正面図である。
【図２】図１に示すＬ１部分及びＲ１部分の拡大図であり、（Ａ）は正面図、（Ｂ）は平面図である。
【図３】本発明の１実施形態に係る安全手摺の格納方法を示しており、（Ａ）は格納途中の状態を示す正面図、（Ｂ）は格納状態を示す正面図である。
【図４】図３（Ｂ）に示すＬ２部分及びＲ２部分の拡大図であり、（Ａ）は正面図、（Ｂ）は平面図である。
【図５】本発明の１実施形態に係る安全手摺の保持手段を分解状態で示す斜視図である。
【図６】前記保持手段を示しており、（Ａ）は図４（Ａ）のＡ−Ａ線断面図，（Ｂ）は図６（Ａ）のＢ−Ｂ線断面図である。
【発明を実施するための形態】
【００２４】
以下図面に基づいて本発明の好ましい実施形態を詳述する。尚、以下の実施形態は、安全手摺の１例として、先行手摺を示しているが、本発明が先行手摺に限定されないことは勿論である。
【００２５】
（全体的構成）
図１及び図２は、足場構築体１の１例として、楔緊結式の仮設足場を示しており、各支柱２は、上下に所定間隔をあけてフランジ３を固設している。これらの支柱２は、図示のように、建造物等の外壁に沿う方向（以下「桁方向」という）に所定間隔をあけて立設され、図示省略しているが、建造物等の外壁に対する遠近方向（以下「妻方向」という）に同様の支柱２が立設されており、妻方向に対応する支柱２の間に、布材又は布枠を介して作業床が設置される。
【００２６】
安全手摺４により先行手摺工法を実施する場合、下層及び上層に作業床が設置され、それぞれの作業床から所定高さの範囲で桁側の空間を遮る先行手摺４が取付けられる。これらの安全手摺４は、上層の作業床を設置する前に、下層の作業床の上で作業者が上層の安全手摺４を先行して取付け、その後、上層の作業床を設置し、同様の作業を下層から上層に向けて繰り返すことにより、各層の作業床の桁側に取付けられる。
【００２７】
安全手摺４は、水平材５と一対の斜材６、６を備えており、前記水平材５の両端部と斜材６、６の基端部６ａを相互にボルト等から成る枢軸７ａを含む枢結手段８により回動自在に枢結している。従って、安全手摺４は、前記斜材６、６を回動することにより、図１に示すように、一対の斜材６、６を前記水平材５の下方で相互に交差させた展開姿勢Ｐ１と、図３（Ｂ）に示すように、一対の斜材６、６の先端部６ｂを上向きに回動させ、該斜材６、６を水平材５の両側面に沿わせた格納姿勢Ｐ２との間で姿勢変更可能となるように構成されている。
【００２８】
足場構築体１に安全手摺４を装着する場合、図１及び図２に示すように、前記水平材５を足場構築体１の隣り合う一対の支柱２、２の間に配置すると共に、斜材６、６を展開姿勢Ｐ１とした状態で、該斜材６の基端部６ａに設けた係止機構９を一方の支柱２のフランジ３に係止し、該斜材６の先端部６ｂに設けた固着機構１０を他方の支柱２のフランジ３に固着するように構成されている。
【００２９】
図示実施形態の場合、前記係止機構９は、図２及び図５に示すように、斜材６の基端部６ａに溶接等で固着された係止体１１に下向きの係止ピン１２を設けており、前記係止体１１を含む斜材６の基端部６ａを枢軸７の廻りに回動させることにより、前記係止ピン１２を鉛直姿勢とさせながら、フランジ３の上方から楔孔３ａに進入させ係止するように構成されている。
【００３０】
また、前記固着機構１０は、図１に示すように、楔式の緊結機構を構成しており、斜材６の先端部６ｂに固着された側面視ほぼＵ形の保持部材１３と、該保持部材１３を上下方向に貫通する上下動自在な楔片１４を備えており、前記保持部材１３によりフランジ３を上下から挟んだ状態で、楔片１４を楔孔３ａに圧入することにより、該フランジ３に緊結するように構成されている。
【００３１】
しかしながら、本発明は、前記係止機構９や固着機構１０に関する構成を目的とするものではなく、要するに、斜材６の基端部６ａに係止機構９が設けられ、先端部６ｂに固着機構１０が設けられたものであれば良く、その具体的構成は問わない。
【００３２】
（保持手段の構成）
図３（Ａ）に示すように、前記水平材５の長さＬａに対して、前記斜材６の長さＬｂは、Ｌａ＜Ｌｂとなるように構成され、前記水平材５の両端部には、前記格納姿勢Ｐ２とされた斜材６の先端部６ｂに含まれる被保持部６ｃを着脱自在に係止保持する保持手段１５が設けられている。
【００３３】
図示のように、一対の斜材６、６は、それぞれ水平材５の両端部の両側面の一方と他方に枢結されている。つまり、図例の場合、図２（Ａ）に示す左側の斜材６は、水平材５の左端部の背面側に重ねることにより枢結され、右側の斜材は、水平材５の右端部の正面側に重ねることにより枢結されている。従って、格納姿勢Ｐ２とした状態で、一対の斜材６、６は、水平材５の両側面（正面と背面）に沿って重ね合わせられる。
【００３４】
図示実施形態の場合、図５に示すように、前記保持手段１５は、金属板により折曲形成されたブラケット１６により構成され、該ブラケット１６は、水平材５の端部に交差する基板部１７の両端部を下向きに折曲することにより、前記斜材６の基端部６ａを枢結する枢結片１８と、該枢結片１８に平行な保持片１９を設け、前記枢結片１８から折曲されることにより前記水平材５の端面に対向する背板片２０を設けている。これに対して、水平材５は、端部にＬ形の取付部材２１を設けており、該取付部材２１は、水平材５の端部に溶接等で固着された固着片２１ａと、該固着片２１ａから折曲された取付片２１ｂを備え、該取付片２１ｂに孔２１ｃを貫設している。これにより、図示実施形態の場合、後述するようにブラケット１６の枢結片１８と斜材６の基端部６ａを枢軸７ａにより枢結する際、前記取付片２１ｂを前記枢結片１８と基端部６ａの間に介装させ、枢軸７ａを孔２１ｃに貫通させた状態で、ナット７ｂで共締めすることにより、ブラケット１６を水平材５の端部に取付ける取付手段が構成されている。従って、枢軸７ａによる枢結作業と同時に、ブラケット１６と取付部材２１の取付作業を行うことができるので、作業性が良い。尚、この状態で、前記背板片２０と固着片２１ａが相互に重ね合わせられ、これにより、枢軸７ａの廻りにブラケット１６が回動することを阻止し、ブラケット１６と取付部材２１の相互に固定された取付状態を可能とする。しかしながら、ブラケット１６を水平材５の端部に取付ける取付手段は、図示実施形態の構成に限定されるものではなく、例えば、ブラケット１６を取付部材２１に溶接で固着する等、任意の取付手段を採用することが可能であり、要するに、ブラケット１６を水平材５の端部に取付け可能とする手段が設けられていれば良い。
【００３５】
前記水平材５の端部に固着されたブラケット１６は、前記枢結片１８に設けた軸支孔１８ａに前記枢軸７ａを挿着し、該枢結片１８の内側からナット７ｂを固着することにより、該枢軸７ａと枢結片１８の両者により前記斜材６の基端部６ａを回動自在に枢結する枢結手段８を構成する。
【００３６】
この状態で、前記固着片２０又は取付片２１と保持片１９の間には、格納姿勢Ｐ２とされた斜材６の前記被係止部６ｃを受入れ保持するように下向きに開口された保持溝２２が形成されている。図例の場合、保持溝２２は、両側の溝壁のうち、一方の溝壁を前記保持片１９により形成され、他方の溝壁を前記固着片２０又は取付片２１により形成されているが、他方の溝壁は、前記固着片２０又は取付片２１とは別の部材により形成しても良く、要するに、斜材６の被係止部６ｃを受入れ可能とする保持溝２２を形成するように構成されたものであれば良い。
【００３７】
図５及び図６に示すように、前記保持溝２２は、前記保持片１９に板バネ２３ａから成るバネ手段２３を設け、該バネ手段２３を保持溝２２の内部に向けて突出させており、前記斜材６を回動することにより格納姿勢Ｐ２としたとき、前記バネ手段２３が変形して該斜材６を保持溝２２に進入させ、該斜材６が保持溝２２に進入したとき前記バネ手段２３が復元して該斜材６を保持するように構成している。従って、図示実施形態の場合、前記保持手段１５は、前記保持溝２２と前記バネ手段２３により構成されている。
【００３８】
好ましくは、前記保持片１９は、窓孔２４を開設しており、該保持片１９の外側面に固着された板バネ２３ａの折曲部２５を前記窓孔２４から保持溝２２の内部に突出させることにより、前記バネ手段２３を構成している。
【００３９】
図６に示すように、板バネ２３ａは、上部の取付部２６を保持片１９の外側面に添設した状態で、該保持片１９を外側から貫通するボルト２７ａを備えた固定手段２７により固定され、該板バネ２３ａの前記取付部２６と前記折曲部２５の間に形成された中間部２８の両側縁を窓孔２４に嵌入させることが好ましい。これにより、前述のように斜材６の被保持部６ｃを保持溝２２に進入したとき、前記折曲部２５が押圧されつつ弾性変形により後退する際、中間部２８が窓孔２４の両側に保持されるので、左右方向に歪んで偏位することが防止され、前記折曲部２５の良好な後退移動を可能にする。尚、前記「嵌入」とは、必ずしも中間部２８を窓孔２４に密に嵌入させる必要はなく、微小なクリアランスを許容する意味であることを諒解されたい。
【００４０】
前記ボルト２７ａにより構成された固定手段２７は、該固定手段２７の構成要素を前記保持溝２２の内部に位置させ、これにより該保持溝２２に進入する斜材６の被係止部６ｃを受止めるストッパー２９を構成している。この際、ボルト２７ａを保持片１９のタップ孔に螺挿する場合は、該ボルト２７ａの挿出端により前記ストッパー２９を構成し、ボルト２７ａの挿出端に図示鎖線で示すようにナットを螺着する場合は、該ナットにより前記ストッパー２９を構成することができる。
【００４１】
上記のように構成した保持手段１５は、水平材５の両端部の両側面の一方と他方に設けられている。つまり、一対の斜材６、６の被保持部６ｃ、６ｃに対応して、一対の保持手段１５、１５が設けられている。図例の場合、図２に示すように、図示左側の保持手段１５は、水平材５の左端部の正面側にブラケット１６を固設することにより設けられ、図示右側の保持手段１５は、水平材５の右端部の背面側にブラケット１６を固設することにより設けられており、これにより、格納姿勢Ｐ２とされる斜材６、６の被保持部６ｃ、６ｃをそれぞれの保持手段１５、１５により保持するように構成されている。
【００４２】
（作用）
斜材６、６を展開姿勢Ｐ１とした安全手摺４を足場構築体１に装着する方法は、上述した通りである。不使用時に安全手摺４を運搬・保管等する場合は、枢結手段８を介して斜材６、６を回動させ、水平材５の両側に重なるように沿わせ、格納姿勢Ｐ２とすれば良い。
【００４３】
この際、斜材６、６は、格納姿勢Ｐ２に向けて回動するだけで、被保持部６ｃを保持溝２２の下向き開口に臨ませるので、そのまま回動方向に向けて力を加えるだけで、バネ手段２３に抗して保持溝２２の内部に進入すると共に、直ちにバネ手段２３の復元により、保持溝２２の内部に係止保持される。従って、斜材６、６は、格納姿勢Ｐ２に向けて回動させるワンタッチの作業で保持され、水平材５に一体化されるので、以後の運搬・保管等の取り扱いが容易となる。
【００４４】
上述のように、保持手段１５は、水平材５の両端部に固設したブラケット１６により構成されており、該ブラケット１６の枢結片１８により斜材６の基端部６ａを枢結する枢結手段８を構成しているので、１個のブラケット１６により保持手段１５と枢結手段８を同時に形成することができる利点があり、しかも、水平材５の端部と斜材６の基端部６ａの間の枢結構造が堅牢なものとなる。
【００４５】
前記ブラケット１６は、保持溝２２の一方の溝壁を形成する保持片１９に窓孔２４を開設し、該保持片１９の外側面に固着した板バネ２３ａの折曲部２５を前記窓孔２４から保持溝２２の内部に突出させることにより前記バネ手段２３を構成しているので、保持溝２２とバネ手段２３のアセンブリーが容易であり、しかも、適度な弾性変形による適度な保持力を有するバネ手段２３を構成することが容易となる。
【００４６】
この際、上述のように保持溝２２の内部にストッパー２９を設けておけば、斜材６の被保持部６ｃが該ストッパー２９とバネ手段２３により挟持されるので、ガタツキのない保持が可能となる。このようなストッパー２９は、バネ手段２３をブラケット１６に固定するための固定手段２７の構成要素により形成すれば、部品点数が増加することもなく、構造が簡単となる。
【００４７】
そして、格納姿勢Ｐ２とされた斜材６、６は、該斜材６、６の先端部６ｂ、６ｂの至近距離に位置する被保持部６ｃ、６ｃを水平材５の両端部に設けた保持手段１５、１５により保持されているので、運搬時等に該先端部６ｂが異物に衝突する等、外力を受けたときでも、保持手段１５から脱落する方向の大きなモーメントが生じることはなく、脱落の可能性が低くなる。
【００４８】
尚、安全手摺４を格納姿勢Ｐ２から展開姿勢Ｐ１に姿勢変更し、足場構築体１に装着する場合は、バネ手段２３に抗して斜材６の被保持部６ｃを保持溝２２から引き抜き、そのまま引き抜き方向に斜材６、６を回動させるだけで、簡単容易に展開姿勢Ｐ１とすることができる。
【符号の説明】
【００４９】
１  足場構築体
２  支柱
３  フランジ
３ａ  楔孔
４  安全手摺
５  水平材
６  斜材
６ａ  基端部
６ｂ  先端部
６ｃ  被保持部
７ａ  枢軸
７ｂ  ナット
８  枢結手段
９  係止機構
１０  固着機構
１１  係止体
１２  係止ピン
１３  保持部材
１４  楔片
１５  保持手段
１６  ブラケット
１７  基板部
１８  枢結片
１８ａ  軸支孔
１９  保持片
２０  背板片
２１  取付部材
２１ａ  固着片
２１ｂ  取付片
２１ｃ  孔
２２  保持溝
２３  バネ手段
２３ａ  板バネ
２４  窓孔
２５  折曲部
２６  取付部
２７  固定手段
２７ａ  ボルト
２８  中間部
２８ａ  両側縁
２９  ストッパー
【図１】
2015187358.tif 000003
【図２】
2015187358.tif 000004
【図３】
2015187358.tif 000005
【図４】
2015187358.tif 000006
【図５】
2015187358.tif 000007
【図６】
2015187358.tif 000008